(57)【特許請求の範囲】
【請求項１】
背板、上板及び左右の側板とを備え且つ内部は電子回路体収納用の空間になっていると共に前面が開放している本体1と、上記本体前面の開口部を閉ざす為に上部を上記本体の上部に枢着した蓋2とから構成され、
上記本体の側板内面には、上記蓋を閉ざす場合に蓋の側に備えさせる係合爪37を受止める為の掛止体24を備えさせ、一方、上記蓋の内面には、閉蓋状態において上記掛止体24に対しての係合させる為の係合爪37を自由端部に備える弾性変形可能な持出片36を突出状に具備させている屋外用電子機器ケースにおいて、
上記掛止体24における側板と垂直な面内には、前面側から後面側に向けて順に、 前面側の位置において係合爪37を受け止める為の受止部25と、上記係合爪37が案内部27に対向した状態において停止した場合にそれを上記受止部25に戻す為に、閉蓋時における上記枢着部を支点とする蓋２の回動軌跡に対して受止部25の側から後面側の境界点28に向けて張り出す傾斜にしてある案内部27と、上記案内部27と掛止部26との境界点28と、境界点よりも後面側に位置させ、係合爪37を係合させる為の掛止部26とを備え、
一方、係合爪37における上記側板と垂直な面内には、閉蓋時における該係合爪37の進行方向の前側から順に、前記受止部25に対する当接部38と、上記掛止体24に対向させる部分で、かつ、上記当接部38と境界点42との間において、上記案内部27に沿った移動を円滑にする為に斜面に形成してある斜面部40と、上記掛止体24の境界点28に対向させる方向に突出させる境界点42と、境界点42よりも後面側の部分に対して蓋２を閉方向への移動を案内する為に斜面に形成してある斜面部41と、上記掛止部26に対する係合を可能にする係合部39とを夫々備え、
上記掛止体24と、係合爪37との位置関係は、閉蓋時において掛止体24側の境界点28に、係合爪37側の境界点42が達する前においては、上記境界点28に向けて張り出す傾斜にしてある案内部27に上記斜面に形成してある斜面部40が対向し、係合爪37には、上記持出片36の弾力的な復元力により受止部25の方向に押し戻される力が作用し、閉蓋時において係合爪37の境界点42が掛止体24側の境界点28を越えた後においては、上記持出片36の弾力的な復元力により後側の斜面部41が掛止体24側の境界点28を摺動して係合爪37側の係合部39が掛止体24側の境界点28方向に進むような位置関係にしたことを特徴とする屋外用電子機器ケース。
【発明の詳細な説明】
【０００１】
【産業上の利用分野】
本発明は屋外にて使用する電子機器のケースに関する。
【０００２】
【従来の技術】
この種の屋外用電子機器ケースとしては、図７に示すように内部に電子回路体収納用の空間9fを備えていると共に前面10ｆが開放している本体1fと、上記本体前面の開口部を閉ざす為に上部を上記本体の上部に枢着23ｆした蓋2fとから構成され、上記蓋2fの内面にはそこから上記空間9fに向けて弾性変形可能な持出片36ｆを突設させ、その持出片の自由端部から係合爪37ｆを矢印ａの如く上記側板の側に向けて突設させ、一方、上記本体1fにおける側板8fの内面には、上記蓋2fを閉ざす場合に上記係合爪37ｆを受止める為の受止部25ｆと、係合爪37ｆを係合させる為の掛止部26ｆと、受止部25ｆから掛止部26ｆに係合爪37ｆを案内する為の案内部27ｆとを有する膨出状の掛止体24ｆを備えさせたものがある（例えば実公昭５８−３３０９号公報参照）。
【０００３】
上記屋外用電子機器ケースでは、蓋2fを閉じた状態では掛止体24ｆに対する係合爪37ｆの係合によって蓋2fを閉状態にロックでき、不測の蓋開放に伴う雨の侵入を防止できる効果がある。
【０００４】
【発明が解決しようとする課題】
しかし上記従来の屋外用電子機器ケースは、係合爪37ｆを側板8fの側に向けて突出させた構成である為、蓋を閉ざす操作の場合、上記係合爪37ｆは本体内部側の案内部27ｆを通って掛止部26ｆに至る。ところで掛止体24ｆは、本体1f内へ電子回路を納める操作を阻害せぬよう側板8fの内面からの突出寸法Ｌが小さくある必要がある。この為、上記係合爪37ｆが通過する案内部27ｆは平坦面乃至は極めて緩い傾斜にしかならない。すると蓋2fを閉ざす際にその閉じつけが不十分でると、係合爪37ｆが掛止部26ｆに至らず案内部27ｆの上に乗っている場合でも蓋2fはそこで動きが止まる為、上記係合爪37ｆが上記案内部27ｆに乗ったまま蓋2fの閉鎖操作が終了されてしまい、その後使用中に不測的に蓋が開いてしまう事故を招く問題点があった。
【０００５】
本願発明は上記従来技術の問題点（技術的課題）を解決する為になされたもので、蓋を閉ざす場合、その閉鎖が完全でない場合はそのことを明瞭に示すことが出来て、蓋の完全閉鎖を促し得るようにした屋外用電子機器ケースを提供することを目的としている。
【０００６】
【課題を解決するための手段】
本願発明における屋外用電子機器ケースは、背板、上板及び左右の側板とを備え且つ内部は電子回路体収納用の空間になっていると共に前面が開放している本体1と、上記本体前面の開口部を閉ざす為に上部を上記本体の上部に枢着した蓋2とから構成され、上記本体の側板内面には、上記蓋を閉ざす場合に蓋の側に備えさせる係合爪37を受止める為の掛止体24を備えさせ、一方、上記蓋の内面には、閉蓋状態において上記掛止体24に対しての係合させる為の係合爪37を自由端部に備える弾性変形可能な持出片36を突出状に具備させている屋外用電子機器ケースにおいて、上記掛止体24における側板と垂直な面内には、前面側から後面側に向けて順に、前面側の位置において係合爪37を受け止める為の受止部25と、上記係合爪37が案内部27に対向した状態において停止した場合にそれを上記受止部25に戻す為に、閉蓋時における上記枢着部を支点とする蓋２の回動軌跡に対して受止部25の側から後面側の境界点28に向けて張り出す傾斜にしてある案内部27と、上記案内部27と掛止部26との境界点28と、境界点よりも後面側に位置させ、係合爪37を係合させる為の掛止部26とを備え、一方、係合爪37における上記側板と垂直な面内には、閉蓋時における該係合爪37の進行方向の前側から順に、前記受止部25に対する当接部38と、上記掛止体24に対向させる部分で、かつ、上記当接部38と境界点42との間において、上記案内部27に沿った移動を円滑にする為に斜面に形成してある斜面部40と、上記掛止体24の境界点28に対向させる方向に突出させる境界点42と、境界点42よりも後面側の部分に対して蓋２を閉方向への移動を案内する為に斜面に形成してある斜面部41と、上記掛止部26に対する係合を可能にする係合部39とを夫々備え、上記掛止体24と、係合爪37との位置関係は、閉蓋時において掛止体24側の境界点28に、係合爪37側の境界点42が達する前においては、上記境界点28に向けて張り出す傾斜にしてある案内部27に上記斜面に形成してある斜面部40が対向し、係合爪37には、上記持出片36の弾力的な復元力により受止部25の方向に押し戻される力が作用し、閉蓋時において係合爪37の境界点42が掛止体24側の境界点28を越えた後においては、上記持出片36の弾力的な復元力により後側の斜面部41が掛止体24側の境界点28を摺動して係合爪37側の係合部39が掛止体24側の境界点28方向に進むような位置関係にしたものである。
【０００７】
【作用】
蓋を閉じた状態では係合爪が掛止体に係合し蓋は閉状態にロックされる。蓋を閉じる場合、係合爪は掛止体の受止部に当たり、その後案内部を通って掛止部に至りそこに係合する。係合爪が掛止部に至らぬ状態で蓋の閉方向への移動が止まった場合、傾斜状態の案内部によって係合爪は受止部まで押し戻され、蓋は本体から浮き上がった状態となる。上記案内部は側板と平行する面内に備えられるものだから、該案内部を大きく形成しても掛止体の本体内部方向への突出寸法は小さいままに維持できる。
【０００８】
【実施例】
以下本願の実施例を示す図面について説明する。図１に示される屋外用電子機器ケースにおいて、１は本体、２は蓋を夫々示す。３は本体１内に収納した電子回路体である。上記本体１は図２、３に示されるように背板４、上板５、下板６、左右の側板７，８を備えており、内部は電子回路体３の収納空間９となっていると共に前面10が開放している。図２に示されるように背板４の後面に備えた11はマストに対する当付部材で、図６に示すように周知のＵ字ボルト12ａ、蝶ナット12ｂ、押え部材12ｃと共にマスト12ｄに対する取付具13を構成している。図２に示される14は蓋２を開放状態に保持する為の係合凸部、背板４の前面の15，16は回路体の固定用の部材であり、15は受止部材、16は弾力的に撓ますことのできる持出片16ａとその自由端に備えた係合爪16ｂから成る引止部材である。図１において上板５の下面に備えてある18は回路体の位置決部材である。該位置決部材18は側板７，８の内面にも備えてある。次に20は伝送線例えば図６に示される同軸ケーブル20ａを挿通する為の挿通孔、21は図６に示す防水キャップ21ａを装着する為の装着筒、22は雨水を下方へ流下させて挿通孔20の側へ至ることを阻止する為の筒体である。図２に示す15',16b'は下板６の上面に備えた回路体の受止部材及び引き止め用の係合爪である。次に図１、４に示す23は側板７の上部外面に一体形成により備えさせた蓋枢着用の軸体を示す。該軸体23は他方の側板８の上部外面にも備えてある。24, 24は側板７，８の下部内面に備えた掛止体で、図５に明示されるように前面側には後述の係合爪37を受け止める為の受止部25を、後面側には係合爪37を係合させる為の掛止部26を夫々備えており、更に、受止部25と掛止部26との間には係合爪37を受止部25から掛止部26に向けて案内する為の案内部27を、側板７，８の内面と平行な面内に備えさせる為にその下面側に備えさせてある。上面側に備えさせても良い。該案内部27は閉蓋時の蓋２の進行方向（矢印53参照）に対して受止部25の側に傾斜させてある。28は掛止部26と案内部27との境界点を示す。
【０００９】
次に蓋２について説明する。蓋２は前記開口部10を覆うに充分な大きさの前板30と、上板５の上側を囲うに充分な大きさの上板31と側板７，８の外側を囲うに充分な大きさの側板32, 33とを備えている。35，35は係合体で、隣接する側板（例えば側板33）とはその側板との間に本体１において対応する側の側板（例えば側板８）が入り込む間隔Ｇを隔てて設けてある。係合体35における持出片36は蓋２の内面から空間９に向けて突設させる為に前板30の内面30ｂから空間９に向けて突設させてあり、側板32, 33と平行な方向への弾性変形を可能にする為に上記側板と平行な方向への厚みｔを小さく、かつ上記側板と垂直な方向への幅Ｗを大きく形成してある。37は持出片36の自由端部から上記側板32, 33と平行するよう上板31の側に向けて突設させた係合爪で、図５に示す如く、閉蓋時における該係合爪37の進行方向の前側には前記受止部25に対する当接部38を、後側には掛止部26に対する係合部39を夫々備え、更にそれらの間は係合爪37の突出方向の先端42を境界点として前側の部分40は案内部27に沿った移動を円滑にする為の斜面となっており、後側の部分41は蓋２の閉方向への移動を押し進める為の斜面となっている。前記案内部27を掛止体24の上面側に設けた場合、上記係合爪37は上板31とは反対の側に向けて（下向きに）突設させると良い。図１、２に示す43, 44，45は閉蓋状態において下板６の前縁の上側及び下側に位置して空間９内への下方からの雨水の侵入を防止する為のリブを夫々示す。次に上板31の後縁に備えた46は閉蓋状態では雨水を下方へ流下させ、開蓋状態では係合凸部14と係合して蓋２の開放状態を保持する為の垂れ片、側板32の上部に備えた48は軸体23と嵌合して蓋２を本体１に枢着する為の軸孔を夫々示す。
【００１０】
次に電子回路体３は周知の構成のもので、回路基板50に芯線接続部51ａと外部導体接続部51ｂから成る接続端子51やその他図示外の多数の回路素子を付設して、周知の電子回路例えばブースタ回路或いはミキサ回路が構成されている。
【００１１】
次に上記本体１は周知のように合成樹脂材料の型成形によって製造される。この場合、本体１の各部を成形する為の各要素の抜き方向及びその順序は図１の矢印A1〜A4で示す通りである。即ち掛止体24を成形する要素を先ず側板７，８と垂直な矢印A1方向にスライドさせ、次に下板６の下面及びそこにある各部材を成形する要素を下板６と垂直な矢印A2方向にスライドさせ、次に各板４，５，６，７，８の内部空間９側の面及びそこにある部材を成形する要素を背板４に垂直で板５，６，７，８の内面に沿った矢印A3方向に抜き、最後に、側板７，８、背板４及び上板５の各外面を成形する要素を側板７，８と垂直な矢印A4方向に移動させることによって本体１の脱型を行う。一方、蓋２も本体１と同様にして成形される。その場合成形型の各要素の抜き方向及びその順序は矢印B1〜B4の通りである。即ち係合体35の成形要素を側板32，33に沿った矢印B1方向にスライドさせ、次に軸孔48の成形要素を側板32，33と垂直な矢印B2方向にスライドさせ、次に上板31の下面の成形要素を該下面と垂直な矢印B3方向にスライドさせ、最後に、蓋２の全体の外面及び内面の成形要素を側板32，33に沿った矢印B4方向に移動させて蓋２の脱型が行われる。
【００１２】
次に上記ケースには回路体３が収納されて屋外用電子機器が完成され、その完成品は屋外において使用される。この場合、蓋２を図２、３に示されるように閉じた状態では係合体35が掛止体24と係合して閉蓋状態がロックされ、風による不測の開放が防止される。この状態で降雨があった場合、蓋２の上板31に掛かった雨は、垂れ片46から本体１における背板４の後ろ側を通って下方へ流れ落ちたり、前板30の表面30ａや側板32, 33の外面を夫々伝って下方へ流れ落ち、内部空間９への雨水の侵入が防止される。
【００１３】
電子回路体３の調整或いは接続端子51に対する伝送線の接続は図４に二点鎖線で示すように蓋２を開きドライバその他の工具52を用いて行う。上記作業を途中休憩する場合、蓋２は完全に閉じずとも図４に矢印53の如く実線で示す状態まで降ろしておくだけで、休憩途中ににわか雨があっても安心である。この場合係合体35の係合爪37が掛止体24の受止部25に当接している。この状態では図から明らかなように本体の側板７と蓋２の側板32とが重合（向こう側の側板８, 33も同様）して、前面開口部10の側方がそれらにより閉ざされている為、雨が内部の回路体３に向けて降り込むことを防止できる。
【００１４】
次に蓋２を閉ざす場合の掛止体24に対する係合爪37の係合作用について図５に基づき説明する。蓋２を前記矢印53方向に進めると、先ず（Ａ）に示す如く当接部38が受止部25に当接する。上記蓋２の進行を更に進めると、（Ｂ）に示すように持出片36をそれの弾性に抗して矢印36ａ方向に撓ませながら、係合爪37は案内部27に沿って矢印54方向に進む。やがて（Ｃ）に示すように先端42が境界点28を越えると、その後は持出片36が弾力的に復元しながら後側の斜面の部分41が境界点28を摺動して係合爪37は矢印55方向に進み、（Ｄ）の如く係合部39が掛止部26に係合するに至る。
【００１５】
上記の場合、係合爪37が案内部27に当接している過程（先端42が境界点28を越える以前）で蓋２を閉操作する力が途絶えると、持出片36の弾力的復元力及び案内部27の傾斜によって、係合爪37は（Ａ）の如く当接部38が受止部25に当接する位置まで押し戻され、蓋２は本体１から浮き上がった状態となる。従って作業者に即座に蓋２の閉鎖が不完全であることに気付かせ、再度の閉操作を促すことができる。尚この状態で閉鎖作業を終えてしまった場合は、地上から電子機器を見上げて行う最終点検の際に図６の如く蓋２が大きく浮き上がっていることを目視でき、その時点で異常に気付かせることができる。又、先端42が境界点28を越えた後に蓋２を閉操作する力が途絶えても、その場合は持出片36の復元力によって（Ｄ）の係合状態が達成される。
【００１６】
【発明の効果】
以上のように本願発明にあっては、蓋２を閉じた状態においては雨混じりの強風が吹いても、蓋２は掛止体24に対する係合爪37の係合によって閉鎖状態にロックされているから、蓋２の不測的な開放を防止して内部の電子回路体３を保護できる効果がある。
【００１７】
しかも上記掛止体24において、蓋２を閉じる場合に上記係合爪37を掛止部26に案内する案内部27は、側板７，８と平行な面内に備えた構成であるから、その案内部27を受止部25側に傾斜した大きな斜面に形成しておくことによって、上記蓋２を閉ざす操作のとき、本体１に対する蓋２の閉じつけが不十分で係合爪37が掛止部26に至らず完全閉鎖の状態とならぬ場合は、上記案内部27によって係合爪37を受止部25まで押し戻して、蓋２を本体１から大きく浮き上がった状態にすることができる特長がある。このことは蓋２が未だ完全閉鎖でないことをはっきりと認識させて蓋２の再閉鎖を促し得る効果がある。
【００１８】
上記のように蓋２を大きく浮き上がらせることのできる構造のものであっても、上記案内部27は側板７，８に平行な面内に備えた構成であるから、上記案内部27を側板７，８の内面に沿っていくら大きく形成しても本体１の側板７，８から内部方向への掛止体24の突出寸法（図１の矢印56方向の突出寸法）は僅かで良く、本体１内の空間９へ電子回路体３を納める操作には何等障害をもたらさないようにできる効果がある。
【図面の簡単な説明】
【図１】蓋の開放状態を示す斜視図。
【図２】縦断面図。
【図３】図２におけるIII −III 線断面図。
【図４】蓋の開放状態及び蓋を降ろした状態を示す一部破断側面図。
【図５】（Ａ）〜（Ｄ）は掛止体に対する係合体の係合過程を説明する図。
【図６】屋外用電子機器ケースの使用状態を示す斜視図。
【図７】従来の屋外用電子機器ケースの一部を示す一部破断斜視図。
【符号の説明】
１  本体
２  蓋
３  電子回路体
７，８  本体の側板
24  掛止体
27  案内部
35  係合体
36  持出片
37  係合爪
【図１】
0003572526.tif 000002
【図２】
0003572526.tif 000003
【図３】
0003572526.tif 000004
【図４】
0003572526.tif 000005
【図５】
0003572526.tif 000006
【図６】
0003572526.tif 000007
【図７】
0003572526.tif 000008